(57)【要約】【課題】  電源のエネルギー残量の管理が容易でエネルギー効率を向上させることが可能な電源制御装置を実現する。【解決手段】複数の電源の電圧を適宜選択して負荷に供給する電源制御装置において、２つの電源と、２つの電源の電圧をそれぞれ測定する２つの電圧測定手段と、２つの電源の電圧の一方を選択する選択スイッチ手段と、２つの電圧測定手段の出力が印加されると共に選択スイッチ手段を制御して２つの電源のうち電圧の低い方の電源を選択して負荷に電圧を供給し選択された電源のエネルギー残量が０％になるまで使用する制御手段とを設ける。【選択図】                    図１
2009240078.tif 000002
【特許請求の範囲】
【請求項１】
複数の電源の電圧を適宜選択して負荷に供給する電源制御装置において、
２つの電源と、
前記２つの電源の電圧をそれぞれ測定する２つの電圧測定手段と、
前記２つの電源の電圧の一方を選択する選択スイッチ手段と、
前記２つの電圧測定手段の出力が印加されると共に前記選択スイッチ手段を制御して前記２つの電源のうち電圧の低い方の電源を選択して負荷に電圧を供給し選択された電源のエネルギー残量が０％になるまで使用する制御手段と
を備えたことを特徴とする電源制御装置。
【請求項２】
前記制御手段が、
選択された電源のエネルギー残量が０％になった場合に前記選択スイッチ手段を制御して先に選択されたかった方の電源を選択して前記負荷に電圧を供給すると共に表示手段にアラームを表示させることを特徴とする
請求項１記載の電源制御装置。
【請求項３】
前記制御手段が、
エネルギー残量が０％になった電源が交換された場合に表示手段のアラームを解除すると共に前記２つの電源のうち電圧の低い方の電源を選択して負荷に電圧を供給することを特徴とする
請求項２記載の電源制御装置。
【請求項４】
前記電源が、
一次電池、二次電池、若しくは、燃料電池であることを特徴とする
請求項１記載の電源制御装置。
【請求項５】
前記電圧測定手段の代わりに電圧比較器を用いたことを特徴とする
請求項１記載の電源制御装置。
【請求項６】
前記制御手段が、
前記２つの電源の電解液の比重の測定結果に基づき電源を選択して負荷に電圧を供給し選択された電源のエネルギー残量が０％になるまで使用することを特徴とする
請求項１記載の電源制御装置。
【発明の詳細な説明】
【技術分野】
【０００１】
本発明は、複数の電源の電圧を適宜選択して負荷に供給する電源制御装置に関し、特に電源のエネルギー残量の管理が容易でエネルギー効率を向上させることが可能な電源制御装置に関する。
【背景技術】
【０００２】
従来の複数の電源の電圧を適宜選択して負荷に供給する電源制御装置に関連する先行技術文献としては次のようなものがある。
【０００３】
【特許文献１】特開昭６３−１１４３３２号公報
【特許文献２】特開平０４−１２３１１８号公報
【特許文献３】特表平０９−１１４５２９号公報
【特許文献４】特開２００２−２１５２７３号公報
【０００４】
図３は従来の複数の電源の電圧を適宜選択して負荷に供給する電源制御装置の一例を示す構成ブロック図である。
【０００５】
図３において、１は主電源用の二次電池、２はバックアップ用の二次電池若しくは安定化電源であるバックアップ電源、３及び４は各電源からの電圧の供給を制御する供給スイッチ手段、５及び６はどちらか一方の電源を選択するための選択スイッチ手段、７は負荷、８及び９は各電源の電圧を測定する電圧測定手段、１０は電源制御装置全体を制御する制御手段、１１はアラーム等を表示させる表示手段である。また、３，４，５，６，８，９，１０及び１１は電源制御装置を構成している。
【０００６】
二次電池１の出力は、供給スイッチ手段３の入力端子に印加され、バックアップ電源２の出力は、供給スイッチ手段４の入力端子に印加される。
【０００７】
また、供給スイッチ手段３の出力端子は、選択スイッチ手段５の入力端子及び電圧測定手段８の入力端子にそれぞれ接続され、供給スイッチ手段４の出力端子は、選択スイッチ手段６の入力端子及び電圧測定手段９の入力端子にそれぞれ接続される。
【０００８】
選択スイッチ手段５及び６の出力端子はそれぞれ負荷７の一端に接続され、負荷７の他端は接地される。
【０００９】
また、電圧測定手段８及び９の出力はそれぞれ制御手段１０に接続され、制御手段１０からの表示信号は表示手段１１に接続される。
【００１０】
最後に、制御手段１０からの２つの供給スイッチ手段への共通の制御信号は供給スイッチ手段３及び４の制御入力端子にそれぞれ印加され、制御手段１０からの選択スイッチ手段への個別の制御信号は選択スイッチ手段５及び６の制御入力端子に個々に印加される。
【００１１】
ここで、図３に示す従来例の動作を図４を用いて説明する。図４は制御手段１０の動作を説明するフロー図である。
【００１２】
図４中”Ｓ００１”において制御手段１０は、制御信号により供給スイッチ手段３及び４を”ＯＮ”にして二次電池１及びバックアップ電源２から電圧を電圧制御装置に供給させると共に、電圧測定手段８及び９で二次電池１及びバックアップ電源２の出力電圧の値を測定させ、それぞれの電圧値を監視する。
【００１３】
図４中”Ｓ００２”において制御手段１０は、制御信号により選択スイッチ手段５を”ＯＮ”にすると共に、選択スイッチ手段６を”ＯＦＦ”にして、主電源である二次電池１を選択して、二次電池１から供給される電圧を負荷７に供給する。
【００１４】
図４中”Ｓ００３”において制御手段１０は、電圧測定手段８で測定される電圧値に基づき負荷７で利用可能な二次電池１のエネルギーの残量が”０％”（以下、単に、エネルギー残量が”０％”と呼ぶ。）になったか否かを判断し、二次電池１のエネルギー残量が”０％”になるまで待機する。
【００１５】
図４中”Ｓ００３”において二次電池１のエネルギー残量が”０％”になったと判断した場合、図４中”Ｓ００４”において制御手段１０は、制御信号により選択スイッチ手段５を”ＯＦＦ”にすると共に、選択スイッチ手段６を”ＯＮ”にして、バックアップ用のバックアップ電源２を選択して、バックアップ電源２から供給される電圧を負荷７に供給する。
【００１６】
そして、図４中”Ｓ００５”において制御手段１０は、主電源である二次電池１のエネルギー残量が”０％”になった旨のアラームを表示手段１１に表示させると共に、図４中”Ｓ００６”において制御手段１０は、電圧測定手段８の電圧値を監視して主電源である二次電池１がエネルギー残量”１００％”の二次電池に交換されるまで待機する。
【００１７】
図４中”Ｓ００６”において二次電池１が交換されたと判断した場合には、図４中”Ｓ００７”において制御手段１０は、表示手段１１のアラームを解除すると共に、図４中”Ｓ００２”のステップに戻る。
【００１８】
この結果、主電源である二次電池からの電圧を優先的に負荷に供給し、負荷で利用可能な二次電池のエネルギー残量が”０％”になった場合に、当該二次電池を交換するまでの間、バックアップ電源からの電圧を負荷に供給することにより、複数の電源の電圧を適宜選択して負荷に供給することが可能になる。
【００１９】
また、図５は従来の複数の電源の電圧を適宜選択して負荷に供給する電源制御装置の他の一例を示す構成ブロック図である。
【００２０】
図５において、１２及び１３は第１及び第２の二次電池、１４及び１５は各電源からの電圧の供給を制御する供給スイッチ手段、１６及び１７はどちらか一方の電源を選択するための選択スイッチ手段、１８は負荷、１９及び２０は各電源の電圧を測定する電圧測定手段、２１は電源制御装置全体を制御する制御手段、２２はアラーム等を表示させる表示手段である。また、１４，１５，１６，１７，１９，２０，２１及び２２は電源制御装置を構成している。
【００２１】
第１の二次電池１２の出力は、供給スイッチ手段１４の入力端子に印加され、第２の二次電池１３の出力は、供給スイッチ手段１５の入力端子に印加される。
【００２２】
また、供給スイッチ手段１４の出力端子は、選択スイッチ手段１６の入力端子及び電圧測定手段１９の入力端子にそれぞれ接続され、供給スイッチ手段１５の出力端子は、選択スイッチ手段１７の入力端子及び電圧測定手段２０の入力端子にそれぞれ接続される。
【００２３】
選択スイッチ手段１６及び１７の出力端子はそれぞれ負荷１８の一端に接続され、負荷１８の他端は接地される。
【００２４】
また、電圧測定手段１９及び２０の出力はそれぞれ制御手段２１に接続され、制御手段２１からの表示信号は表示手段２２に接続される。
【００２５】
最後に、制御手段２１からの２つの供給スイッチ手段への共通の制御信号は供給スイッチ手段１４及び１５の制御入力端子にそれぞれ印加され、制御手段２１からの選択スイッチ手段への個別の制御信号は選択スイッチ手段１６及び１７の制御入力端子に個々に印加される。
【００２６】
ここで、図５に示す従来例の動作を図６を用いて説明する。図６は制御手段２１の動作を説明するフロー図である。
【００２７】
図６中”Ｓ１０１”において制御手段２１は、制御信号により供給スイッチ手段１４及び１５を”ＯＮ”にして２つの二次電池１２及び１３から電圧を電圧制御装置に供給させると共に、電圧測定手段１９及び２０で２つの二次電池１２及１３の出力電圧の値を測定させ、それぞれの電圧値を監視する。
【００２８】
図６中”Ｓ１０２”において制御手段２１は、測定されたそれぞれ電圧値を比較して、一方の二次電池の電圧値が他方の二次電池の電圧値よりも高いか否か（具体的には、第１の二次電池１２の電圧値が第２の二次電池１３の電圧値よりも高いか否か）を判断する。
【００２９】
もし、図６中”Ｓ１０２”において一方の二次電池（具体的には、第１の二次電池１２）の方の電圧値が高いと判断した場合には、図６中”Ｓ１０３”において制御手段２１は、制御信号により選択スイッチ手段１６を”ＯＮ”にすると共に、選択スイッチ手段１７を”ＯＦＦ”にして、一方の二次電池（具体的には、第１の二次電池１２）を選択して、一方の二次電池から供給される電圧を負荷１８に供給して、図６中”Ｓ１０５”のステップに進む。
【００３０】
もし、図６中”Ｓ１０２”において他方の二次電池（具体的には、第２の二次電池１３）の方の電圧値が高いと判断した場合には、図６中”Ｓ１０４”において制御手段２１は、制御信号により選択スイッチ手段１６を”ＯＦＦ”にすると共に、選択スイッチ手段１７を”ＯＮ”にして、他方の二次電池（具体的には、第２の二次電池１３）を選択して、他方の二次電池から供給される電圧を負荷１８に供給して、図６中”Ｓ１０５”のステップに進む。
【００３１】
図６中”Ｓ１０５”において制御手段２１は、電圧測定手段１９及び２０で測定される電圧値に基づき、２つの二次電池が二次電池の交換作業の時間を担保するのに最低限必要な所定のエネルギー残量に達したか否かを判断し、もし、所定のエネルギー残量に達していなかれば、図６中”Ｓ１０２”のステップに戻る。
【００３２】
このため、図５に示す従来例においては、２つの二次電池が所定のエネルギー残量に達するまで、図６中”Ｓ１０２”〜”Ｓ１０５”のステップを繰り返すことになるので、２つの二次電池１２及び１３のうち常に電圧値の高い二次電池から電圧が負荷に供給されることになる。言い換えれば、２つの二次電池１２及び１３はほぼ同時に電力が消費されることになる。
【００３３】
図６中”Ｓ１０５”において２つの二次電池が二次電池の交換作業の時間を担保するのに最低限必要な所定のエネルギー残量に達したと判断した場合には、図６中”Ｓ１０６”制御手段２１は、２つの二次電池が二次電池の交換作業の時間を担保するのに最低限必要な所定のエネルギー残量に達した（言い換えれば、二次電池の交換時期に達した）旨のアラームを表示手段２２に表示させる
【００３４】
そして、図６中”Ｓ１０７”において制御手段２１は、電圧測定手段１９及び２０の電圧値を監視して２つの二次電池１２及び１３がエネルギー残量”１００％”の二次電池にそれぞれ交換されるまで待機する。
【００３５】
図６中”Ｓ１０７”において２つの二次電池１２及び１３が両方とも交換されたと判断した場合には、図６中”Ｓ１０８”において制御手段２１は、表示手段２２のアラームを解除すると共に、図６中”Ｓ１０２”のステップに戻る。
【００３６】
この結果、２つの二次電池のうち常に電圧値の高い二次電池から電圧が負荷に供給することにより、複数の電源の電圧を適宜選択して負荷に供給することが可能になる。
【発明の開示】
【発明が解決しようとする課題】
【００３７】
しかし、図３に示す従来例では、バックアップ電源２は主電源である二次電池１の交換作業の間、負荷７に十分な電圧を供給することが可能なエネルギー残量を常に保持している必要性があるため、バックアップ電源のエネルギー残量の管理が煩雑であると言った問題点があった。
【００３８】
また、図５に示す従来例では、２つの二次電池が二次電池の交換作業の時間を担保するのに最低限必要な所定のエネルギー残量に達した時点で２つの二次電池を交換するため、取り外した二次電池の充電時に、メモリ効果の発生防止等のために”所定のエネルギー残量”を放電させる必要性があり、放電時間がかかると共に、”所定のエネルギー残量”の放電によるエネルギーロスが生じてエネルギー効率が悪化してしまうと言った問題点があった。
従って本発明が解決しようとする課題は、電源のエネルギー残量の管理が容易でエネルギー効率を向上させることが可能な電源制御装置を実現することにある。
【課題を解決するための手段】
【００３９】
このような課題を達成するために、本発明のうち請求項１記載の発明は、
複数の電源の電圧を適宜選択して負荷に供給する電源制御装置において、
２つの電源と、前記２つの電源の電圧をそれぞれ測定する２つの電圧測定手段と、前記２つの電源の電圧の一方を選択する選択スイッチ手段と、前記２つの電圧測定手段の出力が印加されると共に前記選択スイッチ手段を制御して前記２つの電源のうち電圧の低い方の電源を選択して負荷に電圧を供給し選択された電源のエネルギー残量が０％になるまで使用する制御手段とを備えたことにより、交換作業の時間を考慮したエネルギー残量の管理が容易であり、二次電池のエネルギーを使い切るため、放電時間が不要になり、放電によるエネルギーロスがないのでエネルギー効率が向上させることが可能になる。
【００４０】
請求項２記載の発明は、
請求項１記載の発明である電源制御装置において、
前記制御手段が、
選択された電源のエネルギー残量が０％になった場合に前記選択スイッチ手段を制御して先に選択されたかった方の電源を選択して負荷に電圧を供給すると共に表示手段にアラームを表示させることにより、交換作業の時間を考慮したエネルギー残量の管理が容易であり、二次電池のエネルギーを使い切るため、放電時間が不要になり、放電によるエネルギーロスがないのでエネルギー効率が向上させることが可能になる。
【００４１】
請求項３記載の発明は、
請求項２記載の発明である電源制御装置において、
前記制御手段が、
エネルギー残量が０％になった電源が交換された場合に表示手段のアラームを解除すると共に前記２つの電源のうち電圧の低い方の電源を選択して負荷に電圧を供給することにより、交換作業の時間を考慮したエネルギー残量の管理が容易であり、二次電池のエネルギーを使い切るため、放電時間が不要になり、放電によるエネルギーロスがないのでエネルギー効率が向上させることが可能になる。
【００４２】
請求項４記載の発明は、
請求項１記載の発明である電源制御装置において、
前記電源が、
一次電池、二次電池、若しくは、燃料電池であることにより、交換作業の時間を考慮したエネルギー残量の管理が容易であり、二次電池のエネルギーを使い切るため、放電時間が不要になり、放電によるエネルギーロスがないのでエネルギー効率が向上させることが可能になる。
【００４３】
請求項５記載の発明は、
請求項１記載の発明である電源制御装置において、
前記電圧測定手段の代わりに電圧比較器を用いたことにより、交換作業の時間を考慮したエネルギー残量の管理が容易であり、二次電池のエネルギーを使い切るため、放電時間が不要になり、放電によるエネルギーロスがないのでエネルギー効率が向上させることが可能になる。
【００４４】
請求項６記載の発明は、
請求項１記載の発明である電源制御装置において、
前記制御手段が、
前記２つの電源の電解液の比重の測定結果に基づき電源を選択して負荷に電圧を供給し選択された電源のエネルギー残量が０％になるまで使用することにより、交換作業の時間を考慮したエネルギー残量の管理が容易であり、二次電池のエネルギーを使い切るため、放電時間が不要になり、放電によるエネルギーロスがないのでエネルギー効率が向上させることが可能になる。
【発明の効果】
【００４５】
本発明によれば次のような効果がある。
請求項１，２，３，４，５及び請求項６の発明によれば、２つの二次電池の内、電圧の低い方の一方の二次電池のエネルギーを使い切ってから他方の二次電池の電圧を負荷に供給して一方の二次電池を交換することにより、交換作業の時間を考慮したエネルギー残量の管理が容易であり、二次電池のエネルギーを使い切るため、放電時間が不要になり、放電によるエネルギーロスがないのでエネルギー効率が向上させることが可能になる。
【発明を実施するための最良の形態】
【００４６】
以下本発明を図面を用いて詳細に説明する。図１は本発明に係る電源制御装置の一実施例を示す構成ブロック図である。
【００４７】
図１において、２３及び２４は電源である第１及び第２の二次電池、２５及び２６は各電源からの電圧の供給を制御する供給スイッチ手段、２７及び２８はどちらか一方の電源を選択するための選択スイッチ手段、２９は負荷、３０及び３１は各電源の電圧を測定する電圧測定手段、３２は電源制御装置全体を制御する制御手段、３３はアラーム等を表示させる表示手段である。また、２５，２６，２７，２８，３０，３１，３２及び３３は電源制御装置を構成している。
【００４８】
第１の二次電池２３の出力は、供給スイッチ手段２５の入力端子に印加され、第２の二次電池２４の出力は、供給スイッチ手段２６の入力端子に印加される。
【００４９】
また、供給スイッチ手段２５の出力端子は、選択スイッチ手段２７の入力端子及び電圧測定手段３０の入力端子にそれぞれ接続され、供給スイッチ手段２６の出力端子は、選択スイッチ手段２８の入力端子及び電圧測定手段３１の入力端子にそれぞれ接続される。
【００５０】
選択スイッチ手段２７及び２８の出力端子はそれぞれ負荷２９の一端に接続され、負荷２９の他端は接地される。
【００５１】
また、電圧測定手段３０及び３１の出力はそれぞれ制御手段３２に接続され、制御手段３２からの表示信号は表示手段３３に接続される。
【００５２】
最後に、制御手段３２からの２つの供給スイッチ手段への共通の制御信号は供給スイッチ手段２５及び２６の制御入力端子にそれぞれ印加され、制御手段３２からの選択スイッチ手段への個別の制御信号は選択スイッチ手段２７及び２８の制御入力端子に個々に印加される。
【００５３】
ここで、図１に示す実施例の動作を図２を用いて説明する。図２は制御手段３２の動作を説明するフロー図である。
【００５４】
図２中”Ｓ３０１”において制御手段３２は、制御信号により供給スイッチ手段２５及び２６を”ＯＮ”にして２つの二次電池２３及び２４から電圧を電圧制御装置に供給させると共に、電圧測定手段３０及び３１で２つの二次電池２３及び２４の出力電圧の値を測定させ、それぞれの電圧値を監視する。
【００５５】
図２中”Ｓ３０２”において制御手段３２は、測定されたそれぞれ電圧値を比較して、一方の二次電池の電圧値が他方の二次電池の電圧値よりも低いか否か（具体的には、第１の二次電池２３の電圧値が第２の二次電池２４の電圧値よりも低いか否か）を判断する。
【００５６】
もし、図２中”Ｓ３０２”において一方の二次電池（具体的には、第１の二次電池２３）の方の電圧値が低いと判断した場合には、図２中”Ｓ３０３”において制御手段３２は、制御信号により選択スイッチ手段２７を”ＯＮ”にすると共に、選択スイッチ手段２８を”ＯＦＦ”にして、一方の二次電池（具体的には、第１の二次電池２３）を選択して、一方の二次電池から供給される電圧を負荷２９に供給する。
【００５７】
そして、図２中”Ｓ３０４”において制御手段３２は、負荷２９で利用可能な一方の二次電池（具体的には、第１の二次電池２３）のエネルギー残量が”０％”（以下、単に、エネルギー残量が”０％”と呼ぶ。）になるまで待機する。
【００５８】
このため、図１に示す実施例においては、一方の二次電池のエネルギー残量が”０％”に達するまで、言い換えれば、一方の二次電池を使い切るまで、一方の二次電池を使用し続けることになる。
【００５９】
もし、図２中”Ｓ３０４”において一方の二次電池（具体的には、第１の二次電池２３）のエネルギー残量が”０％”になった場合には、図２中”Ｓ３０５”において制御手段３２は、制御信号により選択スイッチ手段２７を”ＯＦＦ”にすると共に、選択スイッチ手段２８を”ＯＮ”にして、他方の二次電池（具体的には、第２の二次電池２４）を選択して、他方の二次電池から供給される電圧を負荷２９に供給する。
【００６０】
そして、図２中”Ｓ３０６”制御手段３２は、一方の二次電池（具体的には、第１の二次電池２３）のエネルギー残量が”０％”になった（言い換えれば、一方の二次電池を使い切った）旨のアラームを表示手段３３に表示させる
【００６１】
そして、図２中”Ｓ３０７”において制御手段３２は、電圧測定手段３０の電圧値を監視して一方の二次電池２３がエネルギー残量”１００％”の二次電池に交換されるまで待機する。
【００６２】
図２中”Ｓ３０７”において一方の二次電池２３が交換されたと判断した場合には、図２中”Ｓ３０８”において制御手段３２は、表示手段３３のアラームを解除すると共に、図２中”Ｓ３０２”のステップに戻る。
【００６３】
一方、もし、図２中”Ｓ３０２”において一方の二次電池（具体的には、第１の二次電池２３）の方の電圧値が高いと判断した場合には、図２中”Ｓ３０９”において制御手段３２は、制御信号により選択スイッチ手段２７を”ＯＦＦ”にすると共に、選択スイッチ手段２８を”ＯＮ”にして、他方の二次電池（具体的には、第２の二次電池２４）を選択して、他方の二次電池から供給される電圧を負荷２９に供給する。
【００６４】
そして、図２中”Ｓ３１０”において制御手段３２は、負荷２９で利用可能な他方の二次電池（具体的には、第２の二次電池２４）のエネルギー残量が”０％”（以下、単に、エネルギー残量が”０％”と呼ぶ。）になるまで待機する。
【００６５】
このため、図１に示す実施例においては、他方の二次電池のエネルギー残量が”０％”に達するまで、言い換えれば、他方の二次電池を使い切るまで、他方の二次電池を使用し続けることになる。
【００６６】
もし、図２中”Ｓ３１０”において他方の二次電池（具体的には、第２の二次電池２４）のエネルギー残量が”０％”になった場合には、図２中”Ｓ３１１”において制御手段３２は、制御信号により選択スイッチ手段２７を”ＯＮ”にすると共に、選択スイッチ手段２８を”ＯＦＦ”にして、一方の二次電池（具体的には、第１の二次電池２３）を選択して、一方の二次電池から供給される電圧を負荷２９に供給する。
【００６７】
そして、図２中”Ｓ３１２”制御手段３２は、他方の二次電池（具体的には、第２の二次電池２４）のエネルギー残量が”０％”になった（言い換えれば、他方の二次電池を使い切った）旨のアラームを表示手段３３に表示させる
【００６８】
そして、図２中”Ｓ３１３”において制御手段３２は、電圧測定手段３１の電圧値を監視して他方の二次電池２４がエネルギー残量”１００％”の二次電池に交換されるまで待機する。
【００６９】
図２中”Ｓ３１３”において他方の二次電池２４が交換されたと判断した場合には、図２中”Ｓ３１４”において制御手段３２は、表示手段３３のアラームを解除すると共に、図２中”Ｓ３０２”のステップに戻る。
【００７０】
この結果、２つの二次電池の内、電圧の低い方の一方の二次電池のエネルギーを使い切ってから他方の二次電池の電圧を負荷に供給して一方の二次電池を交換することにより、交換作業の時間を考慮したエネルギー残量の管理が容易であり、二次電池のエネルギーを使い切るため、放電時間が不要になり、放電によるエネルギーロスがないのでエネルギー効率が向上させることが可能になる。
【００７１】
また、二次電池の交換作業はどちらか一方になるので、作業効率が向上すると共に、一方の二次電池のエネルギー残量が”０％”になった時点では、他方の二次電池のエネルギー残量は十分にあるので交換作業の時間に余裕が生じることになる。
【００７２】
なお、図１に示す実施例では電源として２つの二次電池を用いる電源制御装置を例示しているが、電源としては二次電池ではなく一次電池や燃料電池等であっても構わない。また、電源である二次電池等の数は２つ以上であればいくつであっても構わない。
【００７３】
また、図１に示す実施例では各二次電池の電圧を電圧測定手段を用いて測定監視しているが、電圧測定手段の代わりに電圧比較器（コンパレータ）を用いて、予め設定された閾値を越えるか否かで二値化された信号に基づき制御手段が選択スイッチ手段の”ＯＮ／ＯＦＦ”を制御しても構わない。
【００７４】
また、図１に示す実施例では各二次電池の電圧を電圧測定手段を用いて測定監視しているが、電圧以外の物理量（例えば、電解液の比重等）を測定し、測定結果に基づき制御手段が選択スイッチ手段の”ＯＮ／ＯＦＦ”を制御しても構わない。
【００７５】
また、図１に示す実施例では各二次電池の電圧の供給を制御する２つの供給スイッチ手段を備えているが、動作中は２つとも”ＯＮ”の状態であるので、供給スイッチ手段は必須の構成要素ではない。
【００７６】
また、図１に示す実施例では説明の簡単のために選択スイッチ手段を２つ設けているが、勿論、２つの電源の電圧の一方を選択する機能を有するものでれば１つの選択スイッチ手段であっても構わない。
【図面の簡単な説明】
【００７７】
【図１】本発明に係る電源制御装置の一実施例を示す構成ブロック図である。
【図２】制御手段の動作を説明するフロー図である。
【図３】従来の電源制御装置の一例を示す構成ブロック図である。
【図４】制御手段の動作を説明するフロー図である。
【図５】従来の電源制御装置の他の一例を示す構成ブロック図である。
【図６】制御手段の動作を説明するフロー図である。
【符号の説明】
【００７８】
１，１２，１３，２３，２４  二次電池
２  バックアップ電源
３，４，１４，１５，２５，２６  供給スイッチ手段
５，６，１６，１７，２７，２８  選択スイッチ手段
７，１８，２９  負荷
８，９，１９，２０，３０，３１  電圧測定手段
１０，２１，３２  制御手段
１１，２２，３３  表示手段
【図１】
2009240078.tif 000003
【図２】
2009240078.tif 000004
【図３】
2009240078.tif 000005
【図４】
2009240078.tif 000006
【図５】
2009240078.tif 000007
【図６】
2009240078.tif 000008